Podtech/llm-jp-corpus-v4-ja_patent huggingface dataset:
(57)【要約】【課題】線香に火をつける時、親指が痛くなったり、火傷や火事の危険があった。携帯用の焼香用具ケースで、着火を容易にする機能をあわせもつものはなかった。  本発明は、線香への着火を容易にする機能を持ち、焼香用具の収納もできる、防風ローソク立て付き焼香用具ケースを提供する。【解決手段】細長い本体の内側底面にローソクを立てるための針を設け、反対側の面はローソクの炎が当たらないように開放する。線香、ライター又はマッチ、ローソクを収納するための中入れを別途設ける。【選択図】図１
2014124519.tif 000002
【特許請求の範囲】
【請求項１】
本体の内側底面にローソク用の針を設け、本体の内部に焼香用具を収納する中入れを別途設けた防風ローソク立て付き焼香用具ケース。
【発明の詳細な説明】
【技術分野】
【０００１】  本発明は、墓参りの時などに携帯する、防風ローソク立て付き焼香用具ケースに関するものである。
【背景技術】
【０００２】  従来、墓参りの時などに線香に着火するには、防風ライターで直接着火するか、ライター又はマッチで新聞紙等を燃やしてから着火している。
従来、墓参りの時などに線香とライター又はマッチなどをまとめて収納する携帯ケースはあった。（特許文献２参照）。
従来、線香の着火を容易にする器具はあった（特許文献３参照）。
【先行技術文献】
【０００３】
【特許文献１】  特開２００１−２０８３４５号公報
【特許文献２】  特開２００７−２８９５９９号公報
【特許文献３】  特開２０１２−６１２８９号公報
【発明の概要】
【発明が解決しようとする課題】
【０００４】  線香に着火する時、防風ライターで直接着火するためには、着火が終わるまでライターのレバーを親指で押し続けなければならないが、子供の火遊び防止の為レバーはとても重く、女性や老人等は着火が終わるまで押し続けると親指に苦痛をともない大変である。
ライター又はマッチで新聞紙等を燃やしてから着火するのは、火傷や火事の危険がある。
墓参りの時などに線香とライター又はマッチなどをまとめて収納する携帯ケースはあったが、線香の着火を短時間で容易にさせる機能を備えているものはなかった。
本発明は、以上の問題点を解決するものである。
【課題を解決するための手段】
【０００５】  細長い本体の内側底面にローソクを立てるための針を設ける。反対側の上面はローソクの炎が当たらないように開放する。
線香、ライター又はマッチ、ローソクを入れるための中入れを別途設ける。
以上の構成によりなる防風ローソク立て付き焼香用具ケース。
【発明の効果】
【０００６】  本発明により、防風ライターの重いレバーを押し続けることなく、火事や火傷の心配がなく、線香の着火が容易にできる。
本発明により、線香の着火を容易にする器具をわざわざ単品でしたくすることなく、焼香に必要な用具を収納し携帯することができる。
【図面の簡単な説明】
【０００７】
【図１】  本発明の本体の斜視図
【図２】  本発明の中入れＡの斜視図
【図３】  本発明の中入れＢの斜視図
【図４】  本発明のふたの斜視図
【図５】  本発明の本体の使用状態を示す斜視図
【図６】  本発明の本体と中入れＡの使用状態を示す斜視図
【図７】  本発明の本体と中入れＡと中入れＢの使用状態を示す斜視図
【図８】  本発明の本体と中入れＡと中入れＢとふたの使用状態を示す斜視図
【発明を実施するための形態】
【０００８】  以下、本体の実施の形態を説明する。
（イ）細長い本体（１）の内側底面の中央に、ローソク（８）を立てるための針（２）を設ける。反対側の上面はローソク（８）の炎が当たらないように開放する。
（ロ）線香（８）ライター又はマッチ（７）ローソク（６）は中入れＡ（３）中入れＢ（４）に収納し、本体（１）へ二段に収納する。
（ハ）本体（１）の内側壁面に凸部（５）を設け、中入れＡ（３）中入れＢ（４）が針（２）に触れないようにする。
本発明は以上のような構造である。
本発明を使用しようとするときは、本体（１）の針（２）へローソク（６）を立て、ライター又はマッチ（７）で火をつけ、線香（８）に火をつける。
焼香が終わったら、ローソク（６）とライター又はマッチ（７）と残った線香（８）を、中入れＡ（３）中入れＢ（４）に収納する。
中入れＡ（３）中入れＢ（４）を本体（１）へ収納し、ふた（９）をする。
本体（１）の内側壁面には凸部（５）があり、中入れＡ（３）中入れＢ（４）が針（２）に触れないようになっている。
【符号の説明】
【０００９】（１）本体、（２）針、（３）中入れＡ、（４）中入れＢ、（５）凸部、（６）ローソク、（７）ライター又はマッチ、（８）線香、（９）ふた、
【図１】
2014124519.tif 000003
【図２】
2014124519.tif 000004
【図３】
2014124519.tif 000005
【図４】
2014124519.tif 000006
【図５】
2014124519.tif 000007
【図６】
2014124519.tif 000008
【図７】
2014124519.tif 000009
【図８】
2014124519.tif 000010
(57)【要約】【課題】本発明は、脛骨骨折の髄内釘手術において膝蓋大腿関節面を経由して髄内釘を挿入する際に、膝蓋大腿関節面を保護するスリーブである。手術全体の成否に直結する髄内釘刺入孔を作成のために使用する従来の円筒状のスリーブは、膝蓋大腿関節面との形状の非適合性ゆえ挿入したスリーブの位置が安定しないという欠点があった。膝蓋大腿関節面に挿入し安定する特殊な形状のスリーブを提供する。【解決手段】膝蓋大腿関節面の形状を考慮し、膝蓋骨の関節面にも、大腿骨の関節面にも適合し、左右で対称となる関節面の形状にも対応できるユニバーサルな形状のスリーブを作成した。【選択図】図３
2014124521.tif 000002
【特許請求の範囲】
【請求項１】
脛骨骨折の髄内釘手術において、髄内釘を挿入する刺入孔作成の際に膝蓋大腿関節面を保護する、特殊な形状をしたスリーブ。
【請求項２】
脛骨骨折の髄内釘手術において、髄内釘を挿入する刺入孔作成の際に膝蓋大腿関節面を保護するスリーブに付属させる、特殊な形状をした部品。
【発明の詳細な説明】
【技術分野】
【０００１】  本発明は、脛骨骨折の髄内釘手術において膝蓋大腿関節面を経由して髄内釘を挿入する際に、膝蓋大腿関節面を保護する円筒状のスリーブが安定しないため煩雑であった手術が飛躍的に容易に行うことが出来る、特殊な形をした筒状のスリーブに関するものである。
【技術背景】
【０００２】  脛骨骨折の標準的な手術方法は髄内釘を用いた手術である。本手術は脛骨近位部骨折、脛骨骨幹部骨折、脛骨遠位部骨折など脛骨の多くの骨折に適応となり、古くから、脛骨近位部の脛骨結節近位より、経膝蓋腱的に挿入する手技が行われていた。近年、手術をより行いやすく、より骨折の良好な整復位を得られる手術方法として、膝蓋大腿関節面を経由する手術手技が報告されるようになり、今後は従来の手術手技に取って代わり、標準的な手術手技となることが期待される手術方法である。
【発明の開示】
【発明が解決しようとする課題】
【０００３】  膝蓋大腿関節面を経由した髄内釘手術を行う場合、膝蓋骨および大腿骨の関節面を損傷しないよう細心の注意を払う必要があり、このため、円筒状のスリーブをあらかじめ膝蓋大腿関節面に挿入し軟骨面を保護した上で手術を行う必要があった。
しかしながら、膝蓋骨関節面の形状は凸状であり、円筒状のスリーブとの非適合性ゆえ、スリーブを挿入すると膝蓋骨が内方もしくは外方に脱臼して、その結果スリーブを対側に押しだし、挿入したスリーブの位置が安定しないという欠点があった。髄内釘の刺入部を正しく決めることが、手術全体の成否に直結するため、手術で最も重要な手技操作が煩雑であるという問題点があった。
【課題を解決するための手段】
【０００４】  膝蓋大腿関節面の形状を考慮し、膝蓋骨の関節面にも、大腿骨の関節面にも適合し、左右で対称となる関節面の形状にも対応できるユニバーサルな形状のスリーブ、もしくは従来のスリーブに付属する部品を作成した。
本発明は、以上の構造よりなる脛骨骨折の髄内釘手術に用いるスリーブである。
【発明の効果】
【０００５】  本発明によって、脛骨骨折の髄内釘の刺入孔を作成する際、挿入した膝蓋大腿関節面の保護スリーブが逸脱せず安定し、容易に刺入孔の作成ができるようになった。従って、より精度の高い骨折手術が行えるようになり、手術時間および麻酔時間も短縮することで骨折患者に対する侵襲も軽減することができた。
【発明を実施するための最良の形態】
【０００６】  以下、本発明の実施の形態を説明する。
（イ）髄内釘やその他手術器具の太さを鑑み、それらの手術機材を膝蓋大腿関節を経由して膝関節内に到達させられる太さを持つスリーブを作成する。
（ロ）円筒状のスリーブの外側に、膝蓋大腿関節に適合する形状の部品を付属させる。もしくは、スリーブ全体が同様の形状をもった中空の構造であってもよい。
（ハ）スリーブ保持のための羽をスリーブ近位の両側に付属させる。
本発明は以上の構成によりなる。
本発明を使用する場合は、膝蓋骨上縁に皮膚切開を加え、膝蓋大腿関節面を展開した術野に、本スリーブを愛護的に挿入する。スリーブの羽を指で保持しながら、必要な手術機材を順次膝関節内に挿入して手術を遂行する。
これによって、膝蓋大腿関節面とスリーブが形状的に適合するために、スリーブの逸脱が起こることなく、脛骨骨折に対する髄内釘の適切な刺入孔を容易に作成できる。
【図面の簡単な説明】
【０００７】
【図１】膝蓋大腿関節面にスリーブを通した水平断面図
【図２】スリーブを膝蓋大腿関節面を通し、脛骨まで到達させたイメージ図
【図３】円筒状のスリーブの外側に、膝蓋大腿関節に適合する形状の部品を付属させたスリーブ
【図４】スリーブ全体が膝蓋大腿関節面に適合する形状をもった中空構造のスリーブ
【図５】図３の断面図
【図６】図４の断面図
【符号の説明】
【０００８】（１）膝蓋骨  （２）大腿骨  （３）脛骨  （４）円筒状スリーブに金属製の部品を付属させたスリーブ  （５）中空構造のスリーブ  （６）把持用の羽
【図１】
2014124521.tif 000003
【図２】
2014124521.tif 000004
【図３】
2014124521.tif 000005
【図４】
2014124521.tif 000006
【図５】
2014124521.tif 000007
【図６】
2014124521.tif 000008
(57)【要約】【課題】  調理中の灰汁を効率よく処理できる、灰汁とりオタマを提供する。【解決手段】  灰汁とりオタマの本体（１）は、使用に耐えうる材質であればどのようなものを用いて作ってもよく、この本体（１）に、ナベ肌に沿った、ナベ肌カーブ（２）を設けたことを特徴とする。【選択図】図１
2014124526.tif 000002
【特許請求の範囲】
【請求項１】
灰汁とりオタマ具の本体（１）は、使用に耐えうるならどのような材質を用いて作ってよく、この本体（１）に、ナベ肌カーブ（２）を設けた、調理用の灰汁とりオタマ具。
【発明の詳細な説明】
【技術分野】
【０００１】  この発明は、調理中の灰汁の処理をしやすくした灰汁とりオタマ具に関するものである
【技術背景】
【０００２】  従来、調理中の灰汁とりは、網目状のものや、無数の穴あき状のもの等があった。又、これらを使わず、ふつうのオタマですくい取ることが多かった。
【発明の概要】
【発明が解決しようとする課題】
【０００３】  これには次のような欠点があった。
ふつうのオタマや、網目のもの、無数の穴あきのものでは、それらの円周が、ナベ肌に触れる部分が少ないので、すくい取れる灰汁の量が少なく何回もすくいあげる手間を、必要とする。
本発明は、この欠点を解決するためになされたものである。
【課題を解決するための手段】
【０００４】  灰汁とりオタマ具の本体（１）は、使用に耐えうる材質であれば、どのようなものを用いて作ってよく、この本体（１）にナベ肌カーブ（２）を設ける。柄はとりはずし可能にしてもよい。ナベ肌カーブ（２）はナベ肌にフイットしたカーブである。
本発明は、以上の構成よりなる灰汁とりオタマ具である。
【発明の効果】
【０００５】  灰汁とりオタマ本体はナベ肌に触れる部分が広がり、すくい取れる灰汁の量が増しその分の手間が減る。
【図面の簡単な説明】
【０００６】
【図１】  本発明の平面図である。
【図２】  ふつうオタマの平面図である。
【図３】  本発明の断面図である。
【発明を実施するための形態】
【０００７】  以下、本発明の実施例について説明する。
灰汁とりオタマ具の本体（１）は、使用に耐えうるなら、どのような材質を用いて作ってよく、この本体（１）に、ナベ肌カーブ（２）を設ける。柄はとりはずし可能なものでもよい。この本体（１）のひとつに数種類のナベ肌カーブを設けてもよい。又、この本体（１）を綱目にしたり無数の穴あきのものにしてもよい。
本発明は以上のような構造で、これを使用する時は
灰汁とりオタマ具の本体（１）のナベ肌カーブ（２）を、ナベ肌（３）に押しあてて、灰汁をすくいとる。
【符号の説明】
【０００８】  １、本体      ２、ナベ肌カーブ      ３、ナベ肌      ４、柄
【図１】
2014124526.tif 000003
【図２】
2014124526.tif 000004
【図３】
2014124526.tif 000005
(57)【要約】【課題】  高齢者や腰や足に何らかの障害のある人は腰を曲げる事が困難なため靴下を履くのに介助を必要としている。この様な状態を解決するため介助器具を考案した。【解決手段】  本考案の器具は太めの針金を加工したもので左右対称の物を一対としている。靴下の後ろ面を１のフックに掛け靴下の前の面を２に掛ける、このことにより１と２の間に足を挿入できる挿入口ができる。次に３の取手部を持ち挿入口を足の先端に持ってゆき足を挿入しながら器具をゆっくりと手前に引っ張ることにより簡単に靴下を履くことができる。器具を外すときは４と５の部分を握ることにより４が内側に移動し１の部分が靴下から外れ器具を前方上面に上げ靴下から外す。６の部分は針金を巻く事によりスプリング効果ができるが、７のスプリングを入れることにより、より強いスプリング効果ができる。Ａ部分Ｂ部分Ｃ部分はハンダ付けで固定する事により強固な器具になる。【選択図】図１
2014124525.tif 000002
【特許請求の範囲】
【請求項１】
高齢者や身体に障害が有る人たちのなかには体を十分に曲げる事が困難な人が多く居る。このような人達は自力で靴下を履くことに苦労をされ介助を必要としています
本件は、このような人達が自分の力で靴下を履けるように考案された器具で靴下の取り付けも後ろ面には着脱用のフックを備え、前面には本体にくぼみをつけることで靴下が滑り落ちることなく簡単に着衣できる。
【請求項２】
取り外しもスプリングを利用したグリップを握ることで簡単に外す事が出来る。
【請求項３】
グリップの復元もスプリングの利用で自動的に行える。靴下を脱ぐときは履く手順の逆手順で行えば脱衣出来、着脱がこの器具によって可能になる。
【発明の詳細な説明】
【技術分野】
【０００１】  本発明は、高齢者や足、腰に障害があり体が十分に曲がらない人達が簡単に靴下が履ける器具に関する。
【図面の簡単な説明】
【０００２】
【図１】  本介助器具の全体図
【発明を実施するための形態】
【０００３】  本介助器具の実施の形態を図１に基づいて説明する。
図において、左右対称の物を一対としている。１に靴下の後ろ面２に靴下の前の面を引っ掛ける。この時１と２の間に足を挿入できる開口スペースができる。次に３の取手部を持ち開口スペースを足の先端に持ってゆき足を入れながら器具をゆっくりと手前に引くことにより靴下を履くことができる。次に４と５を握る事により４が内（５）側に移動し１に掛けた靴下がフックより外れ器具を上に持ち上げることにより器具全体が外れる。
【０００４】  ６の部分は針金を巻く事によりスプリング効果がでるが７にスプリングを入れる事により４を押さえた時の復元が確実に行える。
【０００５】  ８は１のガイドと外れ防止を兼ねており重要な部品である。
【０００６】  Ａ、Ｂ，Ｃ部分の針金が重なり合う部分をハンダ付け、または溶接などより固定する事により強固で強い介助器具になる。
【符号の説明】１  靴下後ろ面掛けフック
２  靴下前面掛けスペース
４  脱衣用グリップ
６  スプリング
７  スプリング
８  １の外れ防止兼ガイド
【図１】
2014124525.tif 000003
(57)【要約】【課題】既存黒板もしくは白板の表面材の張替え工程を、確実かつ容易に短時間で行う方法を提供すること。【解決手段】既存黒板もしくは白板の表面材に両面磁石シートを磁気吸着力によって貼付し、両面磁石シートの表面に新しい黒板もしくは白板表面材を磁気吸着力によって貼付する。【選択図】図１
2014124823.tif 000002
【特許請求の範囲】
【請求項１】
既存黒板もしくは白板表面材に両面磁石シートを貼付し、その表面に新しい黒板もしくは白板表面材を貼付させたことを特徴とする張替え方法。
【請求項２】
請求項１の張替え方法に基づき作られた黒板もしくは白板。
【発明の詳細な説明】
【技術分野】
【０００１】
本発明は、既存黒板もしくは白板の張替え工程を短時間で確実、かつ、容易に行う方法に関するものである。
【背景技術】
【０００２】
黒板もしくは白板の表面材が老朽化等で交換時期を迎えた時や、既存黒板を白板に変更する場合の張替え方法として、既存黒板の表面材を取り外すことなく、新しい黒板もしくは白板表面材の裏面に両面テープを貼付し、既存黒板もしくは白板表面材の表面に貼付する方法を行っている。
【発明の概要】
【発明が解決しようとする課題】
【０００３】
従来の方法では、新しい黒板もしくは白板表面材の裏面に両面テープの貼付を行う。この貼付作業では、両面テープを均一にしわなく貼付するのが困難であり、両面テープ内に気泡が生じやすく、気泡やしわが張り替え完了後の新しい表面材に波打ち現象や凹凸が生じる原因となるため、気泡やしわの除去作業が必要となり、時間と手間を要していた。
【０００４】
既存黒板もしくは白板表面材の表面に両面テープを貼付した新しい黒板もしくは白板表面材を基板に対して均一に貼付するのが難しく、また、位置調整で剥がすことも困難な為、その貼付作業に非常に手間と時間を要していた。
【０００５】
貼付時にズレが生じた時、一度貼付した表面材を剥がすことは困難かつ新しい表面材を傷めるため、再貼付出来ない。再度新しい表面材を用意するなど時間と手間を要するだけでなく、コストアップに繋がり不経済である。
【０００６】
本発明は黒板の張替え作業が短時間で確実、かつ、容易であり、位置調整を繰り返し行えることで精度の高い張替えを行う作業方法の提供を目的としている。
【課題を解決するための手段】
【０００７】
本発明は、黒板の張替え時に、既存黒板もしくは白板表面材に両面磁石シートを貼付し、その表面に新しい黒板もしくは白板表面材を貼付する張替え方法である。
【０００８】
貼付に関しては、既存黒板もしくは白板表面材と新しい黒板もしくは白板表面材が共に鋼板製であるため、間に挟みこむ両面磁石シートとの磁力吸着力を利用している。
【発明の効果】
【０００９】
本発明は、既存黒板もしくは白板の張替え時に両面テープを用いることなく、両面磁石シートの磁気吸着力によって貼付を行うので、新しい黒板もしくは白板表面材の張替え工程を短時間で容易に行える。位置調整等の張り直しも容易に行えるので、時間短縮だけでなく、新しい黒板もしくは白板表面材の破損等のリスクも低減され、精度の高い張替えが行える。
【００１０】
上記のように張替えを行った表面材が老朽化で再び交換時期を迎えた時や、既存黒板を白板に変更する場合など再度張替えを行う時には、両面磁石シートから古い表面材を剥がし、新しい表面材を貼付するだけでいいので簡単に短時間で行うことができる。両面磁石シートは再利用できるので、作業の効率化、コストダウンに繋がる。
【図面の簡単な説明】
【００１１】
【図１】図１は本発明による黒板張替え後の概略断面図である。
【発明を実施するための形態】
【００１２】
図１は黒板張替え後の概略断面図である。
既存黒板は木材とベニヤで作られた基板１に黒板もしくは白板表面材２が接着された後、基板１周りに枠などを取り付け、壁に取り付け金具によって設置されている。（図示せず）
壁から取り外された既存黒板から枠を外し、基板１に既存黒板もしくは白板表面材２が接着された状態の表面に、予め裁断しておいた両面磁石シート３を磁気吸着させ、その表面に新しい黒板もしくは白板表面材４を磁気吸着させる。
その後従来の黒板張替え工程と同様に基板１の周りに枠などを取り付けた後、壁の所定の位置に取り付け黒板の張替えが完成する。（図示せず）
貼着時にズレが生じた場合容易に貼着位置を精度よく調整できる。
将来的に老朽化等で交換時期を迎えても、古い黒板もしくは白板表面材を磁気吸着力に抗って引き剥がし、上記と同様に新しい黒板もしくは白板表面材を磁気吸着力で貼付するだけでよいので容易に行うことができる。
【符号の説明】
【００１３】
１    基板
２    既存黒板もしくは白板表面材（鋼板）
３    両面磁石シート
４    新しい黒板もしくは白板表面材（鋼板）
【図１】
2014124823.tif 000003
(57)【要約】      （修正有）【課題】検索画面とユーザーが持っているデータ（画像、動画、メモなど）をログインせずに一つの画面で表示し、データに合った商品が購入できるようにする。【解決手段】メモなどユーザーが好きなデータを保存できるシステムと検索画面を入れたホームページを立ち上げる。ドメインにアクセスするとユーザーは好きなデータをホームページ内で保存方法を選択でき、保存する。その際ログインする必要はない。そしてホームページ内に保存したデータと検索画面を見る事ができる。データはローカル、データベースに保存される。【選択図】図１
2014067107.tif 000002
【特許請求の範囲】
【請求項１】
検索画面とユーザーが持っているデータ（画像、動画、メモなど）をログインせずに一つの画面で表示する事
【発明の詳細な説明】
【技術分野】
【０００１】
本発明は、検索画面とユーザーデータに関する。
【背景技術】
【０００２】
検索画面とユーザーが持っているデータ（画像、動画、メモなど）をログインせずに  一つの画面で表示し、データにあった商品を購入する事
【発明の概要】
【発明が解決しようとする課題】
【０００３】
しかしながら、上記従来の検索画面は検索するマスが用意されているだけであり、そして普段目にしないデータはパソコン内のどこにデータがあるかわからない状態。
【課題を解決するための手段】
【０００４】
本発明は、上記課題を解決するため、以下の手段を採用する。
検索画面を作成し、検索画面以外にユーザーのデータ（メモ、画像、動画など）をローカルストレージ、もしくはサーバーに格納する。
【発明の効果】
【０００５】
本発明によれば、検索をする際にユーザーは必ず自分のメモや画像などを目にする事が出来る。例えばアルバムが東日本大震災で流れてしまった。本発明では毎日目にする検索画面でアルバムを確認する事もでき、さらにはアルバムとして手元に置きたい場合発注もできる。
【図面の簡単な説明】
【０００６】
【図１】本発明の一実施形態に係る図
【産業上の利用可能性】
【０００７】
検索画面にユーザーのデータを残す事で、データに合った商品を購入できる
【図１】
2014067107.tif 000003
(57)【要約】      （修正有）【課題】予め用意した図形と文字内容をマウス操作のみでジェノグラム、家族図を作成し、使用者の作成時間を大幅に短縮する方法を提供する。【解決手段】予めジェノグラム、家族図に必要な図形を用意しておくことにより、マウス操作のみで用意かつ短時間でジェノグラム、家族図の作成ができる。また、付随する文章での補足内容も文字入力によってジェノグラム、家族図に追加することができる。【選択図】図２
2014067384.tif 000002
【特許請求の範囲】
【請求項１】
あらかじめ用意した図形をパレットにマウス操作で動かすだけでジェノグラム、家族図を作ることができるジェノグラム、家族図のソフトウェア。
【請求項２】
また、上記で作成したジェノグラム、家族図に文字内容を追加することのできるソフトウェア。
【発明の詳細な説明】
【技術分野】
【０００１】    本発明はジェノグラム、家族図を容易に作成する方法に関する。
【背景技術】
【０００２】    ジェノグラム、家族図作成に関連したソフトウェアには、通信回線を利用して家族誌を容易かつ迅速に構築できるように施したものがある。（例えば、特許文献１参照）【０００３】    また、Ｍｉｃｒｏｓｏｆｔ社のＯｆｆｉｃｅ製品の図形作成技術を用いてジェノグラム作成をおこなうこともできる。
【先行技術文献】
【特許文献】
【０００３】
【特許文献１】  特開２００５−１８６３３０
【発明の概要】
【発明が解決しようとする課題】
【０００４】    以上に述べた従来の技術では、福祉や医療の現場使用者がジェノグラム、家族図の様式を作成することが出来ない。【０００５】    また、ジェノグラム、家族図の作成時に図形の作成から行う必要があり、予め定まった形式でのジェノグラム、家族図の作成を行うことが出来ない。
【課題を解決するための手段】
【０００６】    ジェノグラム、家族図を容易に作成するために、予め決まった図形を用意し、図形をマウス操作だけでジェノグラム、家族図を作成できるようにする。また、家族図に付随する文章も文字入力とマウス操作で追加できるようにする。
【発明の効果】
【０００７】    上述したように予め用意した図形と文字内容をマウス操作のみでジェノグラム、家族図の作成が可能となるため、使用者の作成時間が大幅に短縮される。【０００８】    また、作成したジェノグラム、家族図は画像変換が可能なため他のソフトウェアに取り込んで使用することも可能となる。【０００９】    さらに、作成したジェノグラム、家族図はファイル形式で保存が可能であり、修正時に最初から作成を行うことなく変更箇所のみ修正することが可能となる。
【図面の簡単な説明】
【００１０】
【図１】  本発明の基礎となる作成画面
【図２】  予め用意した図形のマウス移動時の画面
【図３】  作成したジェノグラム、家族図を画像変換した画面
【発明を実施するための形態】
【００１１】    以下、本発明の実施の形態を図１〜図３に基づいて説明する。
【００１２】    図１においては本発明の基礎となる作成画面であり、図の左側にあらかじめ用意された図形を中央部分のパレットにマウス操作で動かすだけでジェノグラム、家族図を作成できる構成となっている。
【００１３】    図２においては実際にあらかじめ用意した図形を動かしている場面である。
【００１４】    図３においては完成したジェノグラム、家族図を画像に変換する場面である。
【００１５】    以上のように図形を動かすだけで家族図、ジェノグラムの容易な作成を可能とする。
【図１】
2014067384.tif 000003
【図２】
2014067384.tif 000004
【図３】
2014067384.tif 000005
(57)【要約】【課題】従来たくさんのポイントカードで財布のなかがパンパンになりわずらわしさがあった。また複数のポイントカードがそれにより持ち歩かれず、消費者はポイントが加算されない場合があった。【解決手段】それぞれの企業のＰＯＳから直接専用のアプリケーションソフトをダウンロードしたスマートフォン等にポイントカードを電子化しどこでもポイントの加算が可能になるので、たくさんのポイントカードを財布に入れてパンパンになるわずらわしさから解放される。また、このアプリケーションソフトでポイント加算の他に、貯まったポイントで税金や公営住宅等の家賃を支払えるシステムなので、消費者は今まで購買を躊躇していたのが、購買意欲が向上し消費の拡大になる。【選択図】図１
2014067382.tif 000002
【特許請求の範囲】
【請求項１】
各社のポイントカードを一本化し、希望により貯まったポイントで税金や公営住宅等の家賃を支払えるアプリケーションソフト
【発明の詳細な説明】
【技術分野】
【０００１】  この発明は、ポイントカードが各社各店舗ごとに別々になっていたものを、スマートフォン等携帯端末に一本化するためのアプリケーションソフトと関連するシステムである。
【背景技術】
【０００２】    ポイントカードは各社各店舗ごとに別々になっていた。
【発明の概要】
【発明が解決しようとする課題】
【０００３】    従来、ポイントカードは各社各店舗ごとに別々になっており、財布の中がパンパンになりわずらわしくなり、同時にたくさん所有するポイントカードのなかには財布に携帯されず持ち歩かれないカードもあり、企業はマーケテイングが正確にできなくなる可能性があり、消費者は買い物をしてもポイントが加算されない不利があった
【課題を解決するための手段】
【０００４】  企業のＰＯＳレジから直接スマートフォン等携帯端末内にダウンロードされたポイント一本化専用アプリケーションソフトにポイントを加算できる。
【発明の効果】
【０００５】  アプリケーションソフトに各社のポイントカードを一本化できるため、消費者はたくさんあるポイントカードで財布がパンパンになるわずらわしさから解放され、貯まったポイントで各種税金や公営住宅等の家賃を支払えるシステムにより消費意欲が向上し消費の拡大につながると同時に、企業はマーケテイングのロスが省ける。
【図面の簡単な説明】
【０００６】
【図１】この発明のハードウエアとソフトウエアの経路と機能システムである。
【符号の説明】
【０００７】    １企業内メインコンピュータ
２専用アプリケーションソフト
３消費者のスマートフォン携帯端末
４インターネット回線
【図１】
2014067382.tif 000003
(57)【要約】      （修正有）【課題】電圧パルスを抵抗とコンデンサーを利用して短いパルスにする装置を提供する。【解決手段】パルス入力部６から入力され電力を増幅させるインバータ回路５の出力部７から発生する電圧パルスを、抵抗１とコンデンサー２で構成する微分回路に注入して狭い幅に整形し、その信号を電力発生装置としてのインバータ回路１１に入力してパルス化し、出力部１３から短いパルスの出力信号を得る。また、チャタリング防止用コンデンサ３をコンデンサー２の両端と負極８の間に接続し、インバータ回路１１の入力部１２と負極８の間にダイオード４と抵抗１０を接続する。【選択図】図２
2014087040.tif 000002
【特許請求の範囲】
【請求項１】
１．片方が電力発生装置（５）の出力（７）側に繋がれ、２．もう片方が負極（８）に繋がれた抵抗（１）と、３．その抵抗（１）が繋がれた電力発生装置（５）と同じ所に繋がれ、４．もう一方の片方が電力発生装置（１１）の入力（１２）側に繋がれたコンデンサー（２）で構成された、５．信号（１３）を取り出す装置。
【請求項２】
１．片方が電力発生装置（５）の出力（７）側に繋がれ、２．もう片方が負極（８）に繋がれた抵抗（１）と、３．その抵抗（１）が繋がれた電力発生装置（５）と同じ所に繋がれ、４．もう一方の片方が電力発生装置（１１）の入力（１２）側に繋がれたコンデンサー（２）で構成された、５．構成物に、６．片方が負極（８）に繋がれ、７．もう片方が抵抗（１）が繋がれた電力発生装置（５）と同じ所に繋がれたコンデンサー（３）を加え、８．コンデンサー（２）と電力発生装置（１１）の入力（１２）側を繋ぐ電気を通す導線に、９．片方が負極（８）に繋がれた、１０．コンデンサー（３）と抵抗（１０）とダイオード（４）が繋がれた、５．信号（１３）を取り出す装置。
【発明の詳細な説明】
【技術分野】
【０００１】  本発明は、電子電気機器を制御するための技術の一部に属する。
【背景技術】
【０００２】  特願２０１１−２７８９１２おいて、一回の通電の動作で最小１マイクロ秒のパルスを、一個、発生させることに成功している。【０００３】  また、発振装置からある一定時間後に、一瞬のパルスを取り出す装置、ＩＣに抵抗やコンデンサーを繋いで、一瞬のパルスを取り出す装置などがある。【０００４】  また、応用技術が多く、モータ制御装置（特許公開２００８−１３１７９６）やバルブ開閉機（実用新案登録３０４７００６号）の制御の為の技術がある。【０００５】  プログラムを組めるパッケージは、一つのパルスを容易に発生させることが出来き、それらの技術は、パルスを機械制御に使用するもので、本発明の重要性がうかがえる。【０００６】  また、これらの技術文献には、発生方法の具体的な記述が無く、沢山のパルス発生装置から出るパルスを合成して発生するパルスを使用して、そのパルスで制御をしている可能性もある。
【特許文献１】実用新案登録３０７９９２１号
【特許文献２】特許公開２００８−１３１７９６
【特許文献３】実用新案登録３０４７００６号
【特許文献４】特願２０１０−１３６５８２
【発明の開示】
【発明が解決しようとする課題】
【０００７】  本発明は、短いパルスを発生させる事が目的で、特願２０１１−２７８９１２おいて、１回の通電の動作で１マイクロ秒のパルスを、一個、発生させることに成功していたが、他の装置から出るパルス（７）を拾うことが出来ず、そのため、パルス（７）を拾うことが出来、その時の入力パルス（７）は、パルス幅が１万分の１秒のパルス（７）でも拾うことが出来る様に、開発を進めた。【０００８】  そこで、入力パルス（７）にコンデンサー（２）のみを繋げることで、７ｋＨｚの幅を持つパルス（７）を、パルス幅４μｓｅｃ位に縮めて出力（１３）することが出来ることが判明し、ＰＩＣに入力しても反応した。
【課題を解決するための手段】
【０００９】  微分回路を利用した。【００１０】  その為には、コンデンサー（２）や抵抗（１０）の値の検討を行い、一旦、コンデンサー（２）に充電させ、放電されると、かなり短いワンパルスが得られると、考えた。【００１１】  さらに、チャタリングの防止のためのコンデンサー（３）の値の検討も行った。【００１２】  今回は、５ボルトで試行を行ったが、コンデンサー（２）や抵抗（１０）の値は、かなりシビアに検討しないとだめで、コンデンサー（２）はある値より小さくすると捕らえるパルス幅が小さくなり、抵抗（１０）は無くすか、値をかなり小さくしなければならない事が判明し、チャタリングの防止用のコンデンサー（３）も無くても良いことも分かったが、値を小さくするとチャタリングの防止機能が付加できる様であり、電圧を大きくした場合、耐圧内でも発火する様な感がある、ダイオード（４）は、無くても良いことが判明し、これらの検討の結果、７ｋＨｚの幅を持つパルス（７）を、パルス（１３）幅４μｓｅｃ位に縮める事が出来て、ＰＩＣに入力しても反応した。
【発明の効果】
【００１３】  本発明は、発振しない１個のパルス（６）、または、発振するパルス（６）の幅１００Ｈｚを１０５００Ｈｚのパルス（１３）幅に、１ｋＨｚを１２ｋＨｚのパルス（１３）幅に、７ｋＨｚを２５０ｋＨｚのパルス（１３）幅に変換することに成功した。
【発明を実施するための最良の形態】
【００１４】  光を受けてパルスを発する装置に、本発明を接続すれば、７ｋＨｚのパルス（６）幅を２５０ｋＨｚのパルス（１３）幅に変換することが出来、秒速７千回転以内で回転する物体をカウントすることが出来、例えば、ロームＲＰＩ−８１１の出力パルス２００Ｈｚ（６）の場合を９９〜１００μｓｅｃ、１０ｋＨｚ（１３）まで短くして出力が出来る。
【実施例】
【００１５】  図１、図２、は、発明の全体図、図３、は、電力発生装置（５）の例である。
【産業上の利用可能性】
【００１６】  本発明は、電力発生装置（例えばＮＯＴ回路）（５）から出力されるパルス（７）を、コンデンサー（２）の保護の為の抵抗（１）とコンデンサー（２）で、パルス幅を短くしてパルスを発生させているのが特徴で、出力の正負を逆に繋げば、グランドより負のパルスを発生させることが出来、高速で回転する物体を捉えることが出来、回転数を数える為に利用できる。
【図面の簡単な説明】
【００１７】
【図１】  発明の全体図。
【図２】  発明の全体図。
【図３】  ＮＯＴ回路。
【符号の説明】
【００１８】  １．抵抗
２．コンデンサー
３．コンデンサー
４．ダイオード
５．電力発生装置
６．パルス入力部
７．パルス出力部
８．負極
９．正極
１０．抵抗
１１．電力発生装置
１２．処理されたパルス
１３．最終出力パルス
１４．トランジスター
１５．抵抗
【図１】
2014087040.tif 000003
【図２】
2014087040.tif 000004
【図３】
2014087040.tif 000005
(57)【要約】      （修正有）【課題】楊枝立てと使用した楊枝を収納する事ができる爪楊枝立て兼爪楊枝収納ケース入れを提供する。【解決手段】上段に使用前の楊枝を収納する楊枝立てケース２を備え、下段に使用済楊枝を収納する楊枝入れ６を備えている爪楊枝収納ケース１であって、下段の使用済楊枝入れ６は底部を有する中空の半円球状をなし、その外周面には複数の楊枝差し込み口５が設けられ、底部は、中央が低く、外周面に行くにしたがって高くなり、かつ、外周面と楊枝差し込み口の下縁とに段差をなくしている。【選択図】図１
2014087438.tif 000002
【特許請求の範囲】
【請求項１】
上段に使用前の楊枝を収納する楊枝立てケース２を備え、下段に使用済楊枝を収納する楊枝入れ６を備えている爪楊枝収納ケース１であって下段の前記使用済楊枝入れ６は底部を有する中空の半円球状をなし、その外周面には複数の楊枝差し込み口５が設けられ、前記底部は、中央が低く、外周面に行くにしたがって高くなり、かつ、前記外周面と前記楊枝差し込み口の下縁とに段差をなくしていることを特徴とする爪楊枝立て兼爪楊枝収納ケース。
【請求項２】
前記楊枝立てケースは、前記楊枝入れの中央上端部に着脱自在に取り付けられることを特徴とする請求項１に記載の爪楊枝立て兼爪楊枝収納ケース。
【発明の詳細な説明】
【技術分野】
【０００１】
本発明は楊枝を使用した後、その楊枝を廃棄するための使用済楊枝入れに関するものである。
【背景技術】
【０００２】
従来は楊枝を使った後はテーブルの上に置いてある灰皿に入れるか食事で使用した皿の上に置いていたが、皿を洗うときに楊枝を流して、排水管を詰まらせていた。
【先行技術文献】
【特許文献】
【０００３】
ＩＰＤＬで検索したが見つけ出す事ができませんでした。
【発明の概要】
【発明が解決しようとする課題】
【０００４】
以上に述べた従来の楊枝の廃棄の方法では灰皿に入れるか、食事の食べかすといっしょに置いていたが最近は食堂・レストラン・家庭など殆どが灰皿を置いていないため食事の食べかすといっしょに置いている。そのため、皿を洗うときに楊枝を流して、排水管を詰まらせていた。
【０００５】
本発明はこのような問題点を解決しようとするものであり、楊枝立てと使用した楊枝を収納する事ができる爪楊枝立て兼爪楊枝収納ケース入れを提供する。
【課題を解決するための手段】
【０００６】
上記目的を達成するために本発明の爪楊枝立て兼爪楊枝収納ケース本体１は、本体の中心上部に楊枝の入った円形の楊枝立てケース２があり、その中に楊枝を入れている。その楊枝立てケース２の下には楊枝立てケース２の差し込み部７が設けられ、又その下には使用済楊枝を収納するための楊枝差し込み口５と中空の楊枝入れ６が備えられている。
【０００７】
爪楊枝立て兼爪楊枝収納ケースは使用した楊枝を楊枝入れに入れるときは、楊枝差し込み口５が四方にあるためテーブルの中心に置いて四方から使用できるように構成されている。
【発明の効果】
【０００８】
上述したように本発明の爪楊枝立て兼爪楊枝収納ケースは楊枝立てケース２と楊枝入れ６が一つに合体されているため、今までのように使用した後の楊枝を皿の中に入れたり灰皿に入れたりする事がなくなったため、見た目が清潔できれいになった。
【０００９】
又食事の残り物といっしょの皿の中に置いたりしていたため台所の排水管を詰まらせていたが、その様な事がなくなった。
【図面の簡単な説明】
【００１０】
【図１】爪楊枝立て兼爪楊枝収納ケース本体の側面図。
【図２】爪楊枝立て兼爪楊枝収納ケース本体の平面図。
【発明を実施するための形態】
【００１１】
以下、本発明の実施の形態を図１〜図２に基づいて説明する。
【００１２】
図１において爪楊枝立て兼爪楊枝収納ケースの上部の楊枝立てケース２は円筒形をし、その高さは３０ｍｍ〜３５ｍｍで横２０ｍｍ〜３０ｍｍで構成されており、材質はプラスチックなどで形成されている。
【００１３】
又楊枝立てケース２の下部の使用済の楊枝入れ６は半円錐形の中空であって四面に使用済楊枝の差し込み口５を設けている。材質は土器・ガラス・プラスチック・合成樹脂などを使用する事ができる。
【００１４】
中空の使用済楊枝入れ６の中の底部９の中心を低く、そこから外側方面に向かって高くなっており、楊枝差し込み口５と中の底部９とが交差する差し込み口５の下縁８には、段差がないように形成されている。
【００１５】
使用済の楊枝が収納された楊枝を楊枝入れ６から出すときは、上部の楊枝入れケースを外して後、楊枝入れ６部分だけを手に持って傾ければ楊枝入れ口との段差が無いため汚れている楊枝を手でさわらず外に出す事ができる。
【符号の説明】
【００１６】
１    爪楊枝立て兼爪楊枝収納ケース本体
２    楊枝立てケース
３    爪楊枝
４    楊枝立てケースのキャップ
５    使い捨て楊枝の差し込み口
６    楊枝入れ
７    楊枝立てケースの差し込み口
８    差し込み口の下縁
９    使用済楊枝入れの底部の中心
【図１】
2014087438.tif 000003
【図２】
2014087438.tif 000004
(57)【要約】 【課題】  本発明は、生地にキルティング加工を施すことで、シワになりにくく、フィット感に優れた理想的な睡眠をとるためのシーツを提供する。【解決手段】  シーツ用の生地にキルティング加工を施すことで、生地だけで構成されているシーツのようなパッドとのズレやシワが無くなり、フィット感に優れたシーツが出来上がる。また、キルティング加工を施したシーツは、ベッドサイズに合わせて４隅をカットすることでマットとの脱着が容易なシーツになる。【選択図】  図１
2014087458.tif 000002
【特許請求の範囲】
【請求項１】
生地にキルティング加工を施すことで、シワになりにくく、フィット感に優れたことを特徴とするシーツ。
【請求項２】
キルティング加工したシーツは、ベッドサイズに合わせて４隅をカットすることで、
ベッドマットとの脱着を容易にしたことを特徴としたシーツ。
【発明の詳細な説明】
【技術分野】
【０００１】
本発明は、シーツ用の生地にキルティング加工を施し、特殊な形状にすることで、最適な寝心地が得られ、さらに、容易に脱着が可能なシーツに関するものである。
【背景技術】
【０００２】
人間のライフスタイルの３分の１は、眠っている時間である。人間にとって睡眠は１日の疲労を回復するためや、心身のバランスを整えるのに必要不可欠なことである。
このため、より良い睡眠時間を過ごせるように、シーツや敷きパッドは、様々な改良がなされてきた。
【先行技術文献】
【特許文献】
【０００３】
【特許文献１】特開２００２−３３６１１０号公報
【特許文献２】特開２００２−２４８０４０号公報
【発明の概要】
【発明が解決しようとする課題】
【０００４】
理想的な正しい睡眠とは、全身がリラックスし、１日の疲労を回復することができるものである。そのために、シーツや敷きパッドが重要な役割を果たすことは、よく知られている。一般的にベッドを使用する場合、マットにパッドを敷き、上からシーツを被せて睡眠をとる。しかし、ほとんどのシーツは、生地だけで構成されているため、パッドとずれシワになりやすく、フィット感が悪いという不都合がある。
また、マットとシーツ・パッドの脱着が容易にできないため、面倒である。
【課題を解決するための手段】
【０００５】
本発明は上記目的を達成するためにシーツ用の生地にポリエステル綿などを用い、キルティング加工を施すことで、シワになりにくく、フィット感に優れたシーツとしたものである。
【０００６】
また、第２の解決手段は、キルティング加工を施したシーツをベッドのマットサイズに合わせて４隅をカットして、まわりを縫製することで、マットとの脱着を容易にしたものである。
【発明の効果】
【０００７】
本発明によれば、以下のような効果を有する。
（１）シーツ用の生地にキルティング加工を施すことで、シワになりにくくフィト感に優れた理想的な睡眠をとるためのシーツを提供できる。
【０００８】
（２）キルティング加工を施したシーツの４隅を、ベッドのサイズに合わせてカットすることで、マットとシーツの脱着を容易にすることができる。
【図面の簡単な説明】
【０００９】
【図１】本発明の実施方法を示した平面図である。（実施例１）
【図２】本発明の実施方法を示した説明図である。（実施例２）
【発明を実施するための形態】
【００１０】
以下、本発明の実施の形態を図に基づいて説明する。
【実施例１】
【００１１】
図１は、本発明の実施例１の平面図である。
（イ）綿やポリエステルのシーツ（１）に、キルティング加工を施す。
（ロ）ベッドサイズに合わせ、４隅に切り込み（２ａ）（２ｂ）（２ｃ）（２ｄ）を設ける。
（ハ）キルティング加工を施したシーツ（１）のまわりをテープ（３）で巻き、縫製をする。
【実施例２】
【００１２】
図２は、本発明の実施例２の説明図である。
ベッド（４）のマットにキルティング加工を施したシーツ（１）を被せる。
【産業上の利用可能性】
【００１３】
本発明の構造は、快適な睡眠を得ることができるシーツとして、幅広く利用されるものである。
【符号の説明】
【００１４】
（１）キルティング加工シーツ、（２ａ）（２ｂ）（２ｃ）（２ｄ）切り込み、
（３）テープ、（４）ベッド
【図１】
2014087458.tif 000003
【図２】
2014087458.tif 000004
(57)【要約】【課題】活性炭の吸着能力を、活性炭交換を行うことなく持続させることは困難である。【解決手段】汚染成分が活性炭界面に吸着出来る条件は、汚染成分と活性炭界面との電荷に差が有る場合に限られる。この電荷差が消滅している状態で水の流れによって活性炭界面に吸着している汚染成分を無薬剤・無添加・常温・常圧で洗い流す。これにより活性炭の吸着能力を活性炭交換することなく長期間持続させる。【特許請求の範囲】
【請求項１】
活性炭界面と汚染成分の電荷差が消滅している状態で、水だけで、水の流れだけで、活性炭界面に吸着している汚染成分を無薬剤・無添加・常温・常圧で洗い流し、活性炭を交換することなく、活性炭の吸着能力を長期間持続させることを特徴とする技術
【発明の詳細な説明】
【技術分野】
【０００１】活性炭を用いた水処理は、その安全性において他素材より優れている。この優位性に経済性を加える技術
【背景技術】
【０００２】活性炭を水浄化に用いる場合、殆どが活性炭のろ過機能に依存している。汚染成分と活性炭界面の電荷差を利用した水処理技術は、ろ過ではなく活性炭界面への吸着によって汚染成分を除去し安全な水を造る。このため、汚染成分と活性炭界面の電荷差が消滅した状態では、活性炭界面に吸着している汚染成分を水だけで洗い流すことが出来る。この現象を具現化した技術である。
【発明が解決しようとする課題】
【０００３】活性炭の吸着能力を、活性炭交換を行うことなく持続させることは困難である。
【課題を解決するための手段】
【０００４】汚染成分が活性炭界面に吸着出来る条件は、汚染成分と活性炭界面との電荷に差が有る場合に限られる。この電荷差が消滅している状態で水の流れによって活性炭界面に吸着している汚染成分を無薬剤・無添加・常温・常圧で洗い流す。これにより活性炭の吸着能力を活性炭交換することなく長期間持続させる。
【発明の効果】
【０００５】高濃度汚染水から安全な水を低コストで造り出す。
【産業上の利用可能性】
【０００６】高濃度汚染水は、逆浸透膜では直接処理が不可能であり、薬剤処理では飲料可能な安全な水を造ることが出来ない現状において、如何なる組成、水質の高濃度汚染水からでも、安全な水を低コストで得ることが出来る技術が普及するこにより、不衛生な水の飲用／使用を余儀なくされている数十億人を救済すための多種多用な飲料水製造装置が低コストで利用出来るようになる。
(57)【要約】【課題】日々排出される廃水は今後膨大な量となる。含有する汚染成分も今後膨大な種類となる。この廃水を安全な水に浄化し、これ以上の水系汚染、自然環境破壊を防ぐことが不可欠である。同時に、資源枯渇が進む地球において、廃水中成分の再資源化が急務となっている。しかし、安全性、経済性、汎用性において、この現状を改善する技術が無い。【解決手段】コンデンサ構造の水路内に発生するエネルギーで、廃水内成分の化学結合を解離し、さらに解離成分同士が再結合することで無薬剤・無添加・常温・常圧で廃水中汚染成分の固形化がなされ、連続した流れの中で固液分離をし、汚染成分を取り出し、安全な水を得る。同時に固形化成分が再資源化可能となる。【選択図】図１
2014087777.tif 000002
【特許請求の範囲】
【請求項１】
コンデンサ構造を持つ水路に廃水を流入させ、同時に荷電し、瞬間発生した電荷容量エネルギーで、廃水中の汚染成分の化学結合を解離させ、さらに解離した成分分子同士の再結合で廃水成分が不溶化／固形化することで、無薬剤・無添加・常温・常圧で水と分離させ、安全な水だけを取り出し、固形成分は再資源化可能にすることを特徴とする技術
【発明の詳細な説明】
【技術分野】
【０００１】無薬剤・無添加・常温・常圧・２次汚染ゼロの廃水処理技術
【背景技術】
【０００２】廃水中の汚染成分化学結合を解離させ、解離した成分同士を再結合させ、不溶物質を生成し、固液分離を進行させる現象の実用化
【発明が解決しようとする課題】
【０００３】日々排出される廃水は今後膨大な量となる。含有する汚染成分も今後膨大な種類となる。この廃水を安全な水に浄化し、これ以上の水系汚染、自然環境破壊を防ぐことが不可欠である。
同時に、資源枯渇が進む地球において、廃水中成分の再資源化が急務となっている。
しかし、安全性、経済性、汎用性において、この現状を改善する技術が無い。
【課題を解決するための手段】
【０００４】コンデンサ構造の水路内に発生するエネルギーで、廃水内成分の化学結合を解離し、さらに解離成分同士が再結合することで無薬剤・無添加・常温・常圧で廃水中汚染成分の固形化がなされ、連続した流れの中で固液分離をし、汚染成分を取り出し、安全な水を得る。同時に固形化成分が再資源化される。
【発明の効果】
【０００５】厨房から出る廃水を、汚泥発生ゼロ、無臭、清掃不要で浄化することで、現状のグリーストラップに代わる浄化／再資源化装置が普及する。
【０００６】産業系廃水を水と固形物に分離し、水は再利用、固形物は再資源化を行う。
【図面の簡単な説明】
【００７】
【図１】コンデンサ構造水路フロー
【産業上の利用可能性】
【０００８】厨房廃水、産業系廃水の汚泥処理費用、清掃費用が大幅に削減出来、厨房の衛生向上が飛躍的に向上する。
【符号の説明】
【０００９】１：印加端子
２：コンデンサ構造水路
３：廃水原水流入口
４：処理水取り出し口
【図１】
2014087777.tif 000003